【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
データ処理手段と、
複数の論理チャネルを有し、外部処理装置に接続する第１インタフェース手段と、
前記第１インタフェース手段と異なる構成の複数の論理チャネルを有し、前記データ処理手段に接続する、前記第１インタフェース手段と同じ通信規格の第２インタフェース手段と、
前記第１インタフェース手段と前記第２インタフェース手段との間でデータ転送を制御するための制御手段と、
前記データ処理手段の電源のＯＮ／ＯＦＦを制御する電源制御手段とを有し、
前記データ処理手段と前記電源制御手段は信号線で接続され、前記電源制御手段により電源がＯＦＦされた状態では、前記電源制御手段は前記信号線を介して前記データ処理手段への電力供給を停止するように制御することを特徴とする画像処理装置。
【請求項２】
省エネルギーモードの設定／解除を切り換える省エネルギーモード切り換え手段を更に有し、
前記省エネルギーモード切り換え手段により省エネルギーモードが解除されている場合、前記電源制御手段は前記信号線を介して前記データ処理手段の電源をＯＮ状態に制御することを特徴とする請求項１に記載の画像処理装置。
【請求項３】
前記省エネルギーモード切り換え手段により省エネルギーモードに設定されている場合、前記電源制御手段は前記信号線を介して所定条件に従って前記データ処理手段の電源をＯＦＦ状態に制御することを特徴とする請求項２に記載の画像処理装置。
【請求項４】
前記データ処理手段の電源のＯＮ／ＯＦＦ状態を識別する識別手段と、
前記第１インタフェース手段を介して入力するデータの種類を解析する解析手段とを有し、
前記識別手段により前記データ処理手段の電源がＯＦＦであると識別された場合に、前記解析手段は前記データの解析を行い、解析の結果、前記データが前記データ処理手段の電源をＯＮにするためのデータまたは前記データ処理手段による処理を必要とするデータである場合に、前記電源制御手段は前記信号線を介して前記データ処理手段の電源をＯＮにする制御を行うことを特徴とする請求項１に記載の画像処理装置。
【請求項５】
前記データ処理手段の電源のＯＮ／ＯＦＦ状態を識別する識別手段と、
前記第１インタフェース手段を介して入力するデータの種類を解析する解析手段とを有し、
前記省エネルギーモード切り換え手段により省エネルギーモードが設定され、且つ、前記識別手段により前記データ処理手段の電源がＯＦＦであると識別された場合に、前記解析手段は前記データの解析を行い、解析の結果、前記データが前記データ処理手段の電源をＯＮにするためのデータまたは前記データ処理手段による処理を必要とするデータである場合に、前記電源制御手段は前記信号線を介して前記データ処理手段の電源をＯＮにする制御を行うことを特徴とする請求項２または３に記載の画像処理装置。
【請求項６】
前記識別手段により前記データ処理手段の電源がＯＮであると識別された場合、前記外部から入力するデータをそのまま前記第２インタフェース手段を介して前記データ処理手段に転送することを特徴とする請求項４または５に記載の画像処理装置。
【請求項７】
前記データ処理手段は、印刷手段、画像入力手段、データ送信手段の少なくともいずれか１つを含むことを特徴とする請求項１乃至６のいずれかに記載の画像処理装置。
【請求項８】
前記通信規格は、ユニバーサルシリアルバス（ＵＳＢ）規格であることを特徴とする請求項１乃至７のいずれかに記載の画像処理装置。
【請求項９】
データ処理手段と、複数の論理チャネルを有し、外部処理装置に接続する第１インタフェース手段と、前記第１インタフェース手段と異なる構成の複数の論理チャネルを有し、前記データ処理手段に接続する、前記第１インタフェース手段と同じ通信規格の第２インタフェース手段と、前記第１インタフェース手段と前記第２インタフェース手段との間でデータ転送を制御するための制御手段と、前記データ処理手段の電源のＯＮ／ＯＦＦを制御する電源制御手段とを有し、前記データ処理手段と信号線によって接続された前記電源制御手段により電源がＯＦＦされた状態では、前記電源制御手段は前記信号線を介して前記データ処理手段への電力供給を停止する画像処理装置の制御方法であって、
省エネルギーモードの設定／解除を検知する検知工程と、
前記検知工程において省エネルギーモードが解除されていると検知した場合、前記電源制御手段により前記信号線を介して前記データ処理手段の電源をＯＮ状態に制御するＯＮ制御工程と
を有することを特徴とする制御方法。
【請求項１０】
前記検知工程において省エネルギーモードに設定されていると検知した場合、前記電源制御手段により前記信号線を介して所定条件に従って前記データ処理手段の電源をＯＦＦ状態に制御するＯＦＦ制御工程を更に有することを特徴とする請求項９に記載の制御方法。
【請求項１１】
前記データ処理手段の電源のＯＮ／ＯＦＦ状態を識別する識別工程と、
前記第１インタフェース手段を介して入力するデータの種類を解析する解析工程とを有し、
前記検知工程において省エネルギーモードが設定されていると検知し、且つ、前記識別工程において前記データ処理手段の電源がＯＦＦであると識別された場合に前記解析工程を実行させ、当該解析結果に基づいて前記電源制御手段は前記信号線を介して前記データ処理手段を制御する制御工程と
を有することを特徴とする請求項９または１０に記載の制御方法。
【請求項１２】
複数の論理チャネルを有し、外部処理装置に接続する第１インタフェース手段と、前記第１インタフェース手段と異なる構成の論理チャネルを有し、データ処理手段に接続する、前記第１インタフェース手段と同じ通信規格の第２インタフェース手段と、前記第１インタフェース手段と前記第２インタフェース手段との間でデータ転送を制御するための制御手段と、前記データ処理手段の電源のＯＮ／ＯＦＦを制御する電源制御手段とを有し、前記データ処理手段と信号線によって接続された前記電源制御手段により電源がＯＦＦされた状態では、前記電源制御手段が前記信号線を介して前記データ処理手段への電力供給を停止するように制御する画像処理装置の制御方法であって、
前記データ処理手段の電源のＯＮ／ＯＦＦ状態を識別する識別工程と、
前記第１インタフェース手段を介して入力するデータの種類を解析する解析工程と、
前記識別工程において前記データ処理手段の電源がＯＦＦであると識別された場合に前記解析工程を実行させ、当該解析結果に基づいて前記電源制御手段は前記信号線を介して前記データ処理手段を制御する制御工程と
を有することを特徴とする制御方法。
【請求項１３】
前記制御工程では、前記解析工程における解析の結果、前記データが前記データ処理手段の電源をＯＮにするためのデータまたは前記データ処理手段による処理を必要とするデータである場合に、前記信号線を介して前記電源制御手段に前記データ処理手段の電源をＯＮさせることを特徴とする請求項１１または１２に記載の制御方法。
【請求項１４】
前記識別工程において前記データ処理手段の電源がＯＮであると識別された場合、前記データをそのまま前記第２インタフェース手段を介して前記データ処理手段に転送することを特徴とする請求項１１乃至１３のいずれかに記載の制御方法。
【請求項１５】
前記通信規格は、ユニバーサルシリアルバス（ＵＳＢ）規格であることを特徴とする請求項９乃至１４のいずれかに記載の制御方法。
【請求項１６】
請求項９乃至１５のいずれかに記載の制御方法を実現するためのプログラムコードを有する情報処理装置が実行可能なプログラム。
【請求項１７】
請求項１６に記載のプログラムを記憶した記憶媒体。
【手続補正２】
【補正対象書類名】明細書
【補正対象項目名】００１１
【補正方法】変更
【補正の内容】
【００１１】
【課題を解決するための手段】
上記目的を達成するために、本発明の画像処理装置は、データ処理手段と、複数の論理チャネルを有し、外部処理装置に接続する第１インタフェース手段と、前記第１インタフェース手段と異なる構成の複数の論理チャネルを有し、前記データ処理手段に接続する、前記第１インタフェース手段と同じ通信規格の第２インタフェース手段と、前記第１インタフェース手段と前記第２インタフェース手段との間でデータ転送を制御するための制御手段と、前記データ処理手段の電源のＯＮ／ＯＦＦを制御する電源制御手段とを有し、前記データ処理手段と前記電源制御手段は信号線で接続され、前記電源制御手段により電源がＯＦＦされた状態では、前記電源制御手段は前記信号線を介して前記データ処理手段への電力供給を停止するように制御する。


【手続補正３】
【補正対象書類名】明細書
【補正対象項目名】００１２
【補正方法】変更
【補正の内容】
【００１２】
また、複数の論理チャネルを有し、データ処理手段と、外部処理装置に接続する第１インタフェース手段と、前記第１インタフェース手段と異なる構成の論理チャネルを有し、前記データ処理手段に接続する、前記第１インタフェース手段と同じ通信規格の第２インタフェース手段と、前記第１インタフェース手段と前記第２インタフェース手段との間でデータ転送を制御するための制御手段と、前記データ処理手段の電源のＯＮ／ＯＦＦを制御する電源制御手段とを有し、前記データ処理手段と信号線によって接続された前記電源制御手段により電源がＯＦＦされた状態では、前記電源制御手段は前記信号線を介して前記データ処理手段への電力供給を停止する画像処理装置の本発明の制御方法は、省エネルギーモードの設定／解除を検知する検知工程と、前記検知工程において省エネルギーモードが解除されていると検知した場合、前記電源制御手段により前記信号線を介して前記データ処理手段の電源をＯＮ状態に制御するＯＮ制御工程とを有する。


【手続補正４】
【補正対象書類名】明細書
【補正対象項目名】００１３
【補正方法】変更
【補正の内容】
【００１３】
また、別の構成によれば、複数の論理チャネルを有し、外部処理装置に接続する第１インタフェース手段と、前記第１インタフェース手段と異なる構成の論理チャネルを有し、前記データ処理手段に接続する、前記第１インタフェース手段と同じ通信規格の第２インタフェース手段と、前記第１インタフェース手段と前記第２インタフェース手段との間でデータ転送を制御するための制御手段と、前記データ処理手段の電源のＯＮ／ＯＦＦを制御する電源制御手段とを有し、前記データ処理手段と信号線によって接続された前記電源制御手段により電源がＯＦＦされた状態では、前記電源制御手段が前記信号線を介して前記データ処理手段への電力供給を停止する画像処理装置の本発明の制御方法は、前記データ処理手段の電源のＯＮ／ＯＦＦ状態を識別する識別工程と、前記第１インタフェース手段を介して入力するデータの種類を解析する解析工程と、前記識別工程において前記データ処理手段の電源がＯＦＦであると識別された場合に前記解析工程を実行させ、当該解析結果に基づいて前記電源制御手段は前記信号線を介して前記データ処理手段を制御する制御工程とを有する。


【手続補正５】
【補正対象書類名】明細書
【補正対象項目名】００２６
【補正方法】変更
【補正の内容】
【００２６】
記録部１１５は、レーザビームプリンタやインクジェットプリンタ等からなる印刷装置であり、カラー画像データ、またはモノクロ画像データを印刷部材に印刷する。ＵＳＢホスト制御部１１４とは、ＵＳＢ通信規格で定められたプロトコルで通信を行い、特に記録部１１５はファンクションの機能を有する。なお本実施の形態においては、記録機能のＵＳＢ通信は１対１の接続形態を用いる。


【手続補正６】
【補正対象書類名】明細書
【補正対象項目名】００６４
【補正方法】変更
【補正の内容】
【００６４】
さらに、記録部１１５が印刷状況を示すデータを送信する準備が整っていない場合も同様である。記録部１１５にインク無し、トナー無し、記録紙無し、記録紙ジャムなどのなにかしらのエラーが発生し、記録部１１５が印刷状況を示すデータを送信する準備が整っていない場合は、ＵＳＢファンクション制御部１１３及び処理装置２００に対して、印刷状況を示すデータを送信する準備が整っていない状態が設定されている。例えば、記録部１１５は、ステップＳ５０２における記録部１１５の初期化時に、記録部１１５内部に致命的なエラーを検出した場合、記録部１１５は印刷状況を示すデータを送信することができない状態を設定する。ステップＳ５０３においてその状態をＵＳＢホスト制御部１１４経由で検出したＣＰＵ１０１は、ステップＳ５０４においてＵＳＢファンクション制御部１１３に対し、印刷状況を示すデータを送信する準備が整っていない状態を設定する。この制御により、処理装置２００から印刷状況を示すデータの転送要求が来た場合でも、印刷状況を示すデータを送信する準備が整っていない状態を処理装置２００に返すことにより処理装置２００は記録部１１５が印刷状況を示すデータを送信する準備が整っていないことを知ることができるので、処理の動作不具合を回避することが可能になる。